(57)【要約】【課題】防塵効果にすぐれ、しかも交換が簡単な防塵機構を有する眼幅調整機構を備えた双眼実体顕微鏡を提供する。【解決手段】眼幅調整機構を収容した双眼鏡筒のハウジングの開口部を介して眼幅調整機構に連結され眼幅調整を可能にした接眼スリーブを有した双眼実体顕微鏡であって、筒状をなし、一方端部が接眼スリーブ５周面に設けられ、他方端部に鍔部１２３を有するとともに、この鍔部１２３がハウジング３の開口部３０２周縁に配置され、且つ接眼スリーブ５の眼幅調整にともなう移動を許容する弛み部１２１を有するスリーブカバー１２と、少なくともハウジング３の開口部３０２周縁に設けられスリーブカバー１２の鍔部１２３上面を覆う防塵カバー１３とを具備する。【選択図】    図２
2004326023.tif 000002
【特許請求の範囲】
【請求項１】
眼幅調整機構を収容した双眼鏡筒のハウジングと、該ハウジングの開口部を介して前記眼幅調整機構に連結され眼幅調整を可能にした一対の接眼スリーブを有した双眼実体顕微鏡において、
筒状をなし、一方端部が前記接眼スリーブ周面に設けられ、他方端部に鍔部を有するとともに、該鍔部が前記ハウジングの開口部周縁に配置され、且つ前記接眼スリーブの眼幅調整にともなう移動を許容する移動許容手段を有するスリーブカバーと、
少なくとも前記ハウジングの開口部周縁に設けられ前記スリーブカバーの鍔部上面を覆う防塵カバーと
を具備した防塵機構を有することを特徴とする双眼実体顕微鏡。
【請求項２】
ハウジングは、開口部周縁部に沿って肉薄部が形成されるとともに、該肉薄部上に凹部（凸部）が形成され、
前記スリーブカバーは、前記移動許容手段として前記接眼スリーブの移動にともない折れ曲がり可能な弛み部が形成され、且つ前記鍔部には前記凹部（凸部）に対応する凸部（凹部）が形成され、これら凹凸部により前記肉薄部に嵌合固定され、
前記防塵カバーは、鍔部上面を覆うとともに、前記ハウジングに固定される固定手段を有する
ことを特徴とする請求項１記載の双眼実体顕微鏡。
【請求項３】
ハウジングは、開口部周縁部に沿って肉薄部が形成され、
前記スリーブカバーは、移動許容手段として前記鍔部が前記肉薄部上をスライド移動可能に配置され、
前記防塵カバーは、前記肉薄部面とともに前記鍔部を挟持するように設けられるとともに、前記ハウジングに固定される固定手段を有する
ことを特徴とする請求項１記載の双眼実体顕微鏡。
【発明の詳細な説明】
【０００１】
【発明の属する技術分野】
本発明は、眼幅調整機構を備えた双眼実体顕微鏡に関するものである。
【０００２】
【従来の技術】
従来、生物試料の生きたままでの観察や半導体デバイス工程での検査などには、双眼で試料観察を行なうことができる双眼実体顕微鏡が多く用いられている。
【０００３】
このような双眼実体顕微鏡は、ハウジングから一対の接眼スリーブを突出した双眼鏡筒が設けられ、観察者は、これら接眼スリーブに目の位置を合わせて観察を行なうようになっている。
【０００４】
しかし、双眼実体顕微鏡を使用する観察者は様々で、各人によって眼幅が大きく異なっている。このため、従来の双眼実体顕微鏡では、ハウジング内に異なる眼幅に接眼レンズの間隔を合わせるための眼幅調整機構が設けられている。
【０００５】
このような眼幅調整機構を備えた双眼実体顕微鏡は、双眼鏡筒のハウジングから突出した接眼スリーブが左右対称な方向に自由に動くようになっている。このため、ハウジングには、接眼スリーブの移動範囲に対応した大きな開口部が形成されている。しかし、この開口部は、直接ハウジング内部に通じていて、外部からの塵や埃が進入し易いため、光学素子などに付着して、観察像を劣化させるなどの問題を生じる。
【０００６】
そこで、従来、特許文献１や特許文献２に開示されるものが考えられている。特許文献１に開示されるものは、接眼スリーブとともに移動可能な移動カバーに対して、鏡筒ケーシング側に固定カバーを設け、これら移動カバーと固定カバーとの間にリング状弾性部材を介在させ、接眼スリーブを移動させても移動カバーと固定カバーとの間をリング状弾性部材により遮断するようにしている。また、特許文献２に開示されるものは、図１４に示すように、ハウジング１００の開口部に接眼スリーブ１０１を挿入し、筒状の防塵カバー１０２の一方端部を保持リング１０４により接眼スリーブ１０１の外周壁に保持させ、防塵カバー１０２の他方端部に形成した断面コ字状の保持部材１０３でハウジング１００の開口部周縁部を把持することで、ハウジング１００の開口部からの塵や埃の進入を防止するようにしている。
【０００７】
【特許文献１】
特開平２−６４９０９号公報
【０００８】
【特許文献２】
特開２００１−３５６２７５号公報
【０００９】
【発明が解決しようとする課題】
ところが、特許文献１のものは、接眼スリーブを移動させると、移動カバーも移動し、この度に移動カバーとリング状弾性部材が擦れた状態になるため、この間に削りカスが発生し、これが鏡筒ケーシング内部の光学素子などに付着して観察像を劣化させる虞がある。
【００１０】
また、特許文献２（図１４）のものは、防塵カバー１０２の弾性により接眼スリーブ１０１の位置が不用意に動くのを防止するため、防塵カバー１０２として厚みを極力薄くしたものを使用する必要がある。しかし、防塵カバー１０２を薄くすると、クリーニングの際などに破損して穴を開けてしまう虞があり、この穴からの塵や埃の進入が免れない。また、防塵カバー１０２の他方端部は、保持部材１０３によりハウジング１００の開口部周縁部を把持しているが、この部分での保持が不十分だと、眼幅調整のため接眼スリーブ１０１を動かしただけで、保持がが外れてしまうことがある。このため、特許文献２のものでは、さらにクランプリング１０５を用いて防塵カバー１０２の他方端部とハウジング１００の開口部周縁部との間を位置不変に保持するようにしている。しかし、このようなクランプリング１０５は、接眼スリーブ１０１とハウジング１００の開口部との僅かな隙間を利用して、開口部周縁側に取り付けられるため、クランプリング１０５の着脱に面倒な作業が強いられ、これにより、例えば、防塵カバー１０２を交換する場合に、多大な時間と手間がかかってしまうという問題がある。
【００１１】
本発明は上記事情に鑑みてなされたもので、防塵効果にすぐれ、しかも交換が簡単な防塵機構を有する眼幅調整機構を備えた双眼実体顕微鏡を提供することを目的とする。
【００１２】
【課題を解決するための手段】
請求項１記載の発明は、眼幅調整機構を収容した双眼鏡筒のハウジングと、該ハウジングの開口部を介して前記眼幅調整機構に連結され眼幅調整を可能にした一対の接眼スリーブを有した双眼実体顕微鏡において、筒状をなし、一方端部が前記接眼スリーブ周面に設けられ、他方端部に鍔部を有するとともに、該鍔部が前記ハウジングの開口部周縁に配置され、且つ前記接眼スリーブの眼幅調整にともなう移動を許容する移動許容手段を有するスリーブカバーと、少なくとも前記ハウジングの開口部周縁に設けられ前記スリーブカバーの鍔部上面を覆う防塵カバーとを具備したことを特徴としている。
【００１３】
請求項２記載の発明は、請求項１記載の発明において、ハウジングは、開口部周縁部に沿って肉薄部が形成されるとともに、該肉薄部上に凹部（凸部）が形成され、前記スリーブカバーは、前記移動許容手段として前記接眼スリーブの移動にともない折れ曲がり可能な弛み部が形成され、且つ前記鍔部には前記凹部（凸部）に対応する凸部（凹部）が形成され、これら凹凸部により前記肉薄部に嵌合固定され、前記防塵カバーは、鍔部上面を覆うとともに、前記ハウジングに固定される固定手段を有することを特徴としている。
【００１４】
請求項３記載の発明は、請求項１記載の発明において、ハウジングは、開口部周縁部に沿って肉薄部が形成され、前記スリーブカバーは、移動許容手段として前記鍔部が前記肉薄部上をスライド移動可能に配置され、前記防塵カバーは、前記肉薄部面とともに前記鍔部を挟持するように設けられるとともに、前記ハウジングに固定される固定手段を有することを特徴としている。
【００１５】
この結果、本発明によれば、スリーブカバーの接眼スリーブおよびハウジングへの取付を確実なものにできるので、眼幅調整による接眼スリーブの移動によってスリーブカバーが外れるような虞を回避できる。
【００１６】
また、本発明によれば、眼幅調整により接眼スリーブを移動する際に、スリーブカバーの接眼スリーブおよびハウジングへの取付部に摺動する部分がないので、削りカスなどの発生も防止できる。
【００１７】
さらに、本発明によれば、眼幅調整により接眼スリーブを移動すると、スリーブカバーの弛み部の折れ曲がりまたはスリーブカバーの鍔部の肉薄部上でのスライド移動により対応できるので、スリーブカバーの弾性で接眼スリーブが移動してしまうようなことを防止できる。しかも、スリーブカバーに比較的肉厚で強度のあるものを使用できるので、クリーニングなどの際に破損する虞も防止できる。
【００１８】
さらに、本発明によれば、防塵カバーをハウジングから取り外すことで、スリーブカバーをハウジングから取外すことができるので、これら防塵カバーとスリーブカバーの取り外しをハウジングの外部から簡単に行なうことができ、スリーブカバーを交換する場合も、作業が簡単で、時間的にも短い時間で行なうことができる。
【００１９】
【発明の実施の形態】
以下、本発明の実施の形態を図面に従い説明する。
【００２０】
（第１の実施の形態）
図１は、本発明の第１の実施の形態が適用される眼幅調整機構を備えた双眼実体顕微鏡の外観図を示している。
【００２１】
図において、１は実体顕微鏡本体で、この実体顕微鏡本体１には、不図示の観察光学系、ズーム機構部などが設けられている。実体顕微鏡本体１には、双眼鏡筒２が設けられている。この双眼鏡筒２は、不図示の眼幅調整機構が収容され、また、周囲をハウジング３、４により覆われている。
【００２２】
ハウジング３、４は、それぞれ正面部に傾斜面３０１、４０１が形成されている。これら傾斜面３０１、４０１には、それぞれ開口部３０２、４０２が形成されている。
【００２３】
ハウジング３、４には、開口部３０２、４０２を介して一対の接眼スリーブ５，６が設けられている。この場合、接眼スリーブ５、６は、傾斜面３０１、４０１に対して直立した方向、つまり、水平方向より所定角度上方を向くように設けられている。また、接眼スリーブ５、６は、開口部３０２、４０２を貫通してハウジング３、４内に収容された不図示の眼幅調整機構に連結され、この眼幅調整機構により左右対称にして直線方向または大きな円弧を描いた方向に移動可能になっている。
【００２４】
接眼スリーブ５、６には、接眼レンズ７、８が着脱可能に設けられている。
【００２５】
ハウジング３、４のそれぞれの開口部３０２、４０２には、接眼スリーブ５、６との隙間を密閉するための防塵機構９、１０が設けられている。
【００２６】
図２は、防塵機構９（１０）の概略構成を示すもので、ここでは、防塵機構９についてのみ示している。
【００２７】
この場合、ハウジング３は、図４に示すよう開口部３０２の上面周縁部に沿って段部３０３を介して肉薄部３０４が形成されている。肉薄部３０４には、段部３０３に沿って凹部３０５が形成されている。また、ハウジング３には、段部３０３の周囲に沿って、後述する防塵カバー１３のスナップフット１３ｂが係止される複数の孔部３０６が形成されている。
【００２８】
一方、接眼スリーブ５は、ハウジング３の開口部３０２に挿通される側の端部に段部５０１を介して肉薄部５０２が形成されている。肉薄部５０２面上には、円周方向に沿って２本の凹部５０２ａ、５０２ｂが平行に形成されている。
【００２９】
接眼スリーブ５とハウジング３との間には、スリーブカバー１２が配置されている。スリーブカバー１２は、弾性部材、例えばゴムやシリコンなどで形成されたものである。また、スリーブカバー１２は、筒状をしていて、接眼スリーブ５の眼幅調整にともなう移動を許容する移動許容手段として中央部分に折れ曲がり可能にした弛み部１２１が形成されている。また、スリーブカバー１２の一方開口端部には、円筒状をした肉厚の固定部１２２が設けられている。この固定部１２２は、内周面に沿って２本の凸部１２２ａ、１２２ｂが平行に形成されている。これら凸部１２２ａ、１２２ｂは、接眼スリーブ５の肉薄部５０２の凹部５０２ａ、５０２ｂに嵌合されるものである。この場合、固定部１２２の周面は、凸部１２２ａ、１２２ｂを凹部５０２ａ、５０２ｂに嵌合した状態で、接眼スリーブ５の周面と面一になっている。
【００３０】
スリーブカバー１２の他方開口端部には、鍔部１２３が設けられている。この鍔部１２３は、ハウジング３の開口部３０２周縁の肉薄部３０４上に配置されるものである。また、鍔部１２３は、両面の周縁部に沿って凸部１２３ａ、１２３ｂが形成され、このうちの凸部１２３ａが肉薄部３０４の凹部３０５に嵌合されるようになっている。
【００３１】
スリーブカバー１２の鍔部１２３上面を覆うように中空円板状の防塵カバー１３が設けられている。防塵カバー１３の下面には、円周方向に沿って凹部１３ａが形成されている。この凹部１３ａには、スリーブカバー１２の鍔部１２３の凸部１２３ｂが嵌合されるようになっている。また、防塵カバー１３の下面側には、ハウジング３の孔部３０６に対応して固定手段として複数のスナップフット１３ｂが設けられている。このスナップフット１３ｂは、防塵カバー１３下面に直立して設けられた本体１３ｂ１の先端に鉤部１３ｂ２を形成している。これにより、防塵カバー１３は、スナップフット１３ｂをハウジング３の孔部３０６に鉤部１３ｂ２が貫通するまで挿入し、鉤部１３ｂ２を孔部３０６周縁のスナップフット受け３０６ａに係止させることでハウジング３に固定される。
【００３２】
ハウジング３は、側面部に孔部３０７が形成されている。この孔部３０７は、操作棒１４を挿通し（図４参照）、先端でスナップフット１３ｂの鉤部１３ｂ２を押して変形させて、スナップフット１３ｂの鉤部１３ｂ２の係止を外す際に用いられる。
【００３３】
このような構成によると、スリーブカバー１２は、一方開口端部の固定部１２２の凸部１２２ａ、１２２ｂを接眼スリーブ５周面の凹部５０２ａ、５０２ｂに嵌合することで接眼スリーブ５に固定される。また、スリーブカバー１２は、他方開口端部の鍔部１２３をハウジング３の開口部３０２周縁の肉薄部３０４上に載置し、凸部１２３ａを肉薄部３０４の凹部３０５に嵌合し、さらに鍔部１２３上を覆うように防塵カバー１３を設け、凹部１３ａに凸部１２３ｂを嵌合させ、さらに防塵カバー１３のスナップフット１３ｂをハウジング３の孔部３０６に挿入して鉤部１３ｂ２を孔部３０６周縁のスナップフット受け３０６ａに係止させることでハウジング３にも固定される。
【００３４】
この状態から、例えば図３（ａ）に示すように接眼スリーブ５を眼幅を最大にする方向に操作すると、接眼スリーブ５は、ハウジング３の開口部３０２中を図示Ａ方向に移動する。これにより、接眼スリーブ５の移動にともなってスリーブカバー１２の弛み部１２１は、移動方向の前方で弛みが大きくなり、中央部分で大きく折れ曲がり、また、移動方向の後方では弛みが小さくなって直線状に変形する。また、図３（ｂ）に示すように接眼スリーブ５を眼幅を最小にする方向に操作すると、接眼スリーブ５は、ハウジング３の開口部３０２中を図示Ｂ方向に移動する。これにより、接眼スリーブ５の移動にともなってスリーブカバー１２の弛み部１２１は、移動方向の前方で弛みが大きくなり、中央部分で大きく折れ曲がり、また、移動方向の後方では弛みが小さくなって直線状に変形する。
【００３５】
この場合、上述したようにスリーブカバー１２は、接眼スリーブ５とハウジング３に強固に取り付けられているので、接眼スリーブ５の移動によりスリーブカバー１２が外れるようなことがない。また、スリーブカバー１２は、ハウジング３の開口部３０２上を完全に覆っているので、接眼スリーブ５の移動により開口部３０２が外部に露出することもない。
【００３６】
従って、このようにすれば、スリーブカバー１２は、一方端部の固定部１２２の凸部１２２ａ、１２２ｂを接眼スリーブ５周面の凹部５０２ａ、５０２ｂに嵌合することで取り付けられ、他方端部の鍔部１２３をハウジング３の開口部３０２周縁の肉薄部３０４上に載置し、凸部１２３ａを肉薄部３０４の凹部３０５に嵌合した状態で、さらに鍔部１２３上を覆うように設けられた防塵カバー１３によりハウジング３に取り付けられいる。これにより、スリーブカバー１２の接眼スリーブ５およびハウジング３への取付を確実なものにできるので、眼幅調整による接眼スリーブ５の移動によってスリーブカバー１２が外れるような虞が全くなくなり、同時に、ハウジング３の開口部３０２から塵などが顕微鏡本体１内部に進入するのも確実に防止できる。
【００３７】
また、眼幅調整により接眼スリーブ５を移動する際に、スリーブカバー１２の接眼スリーブ５およびハウジング３への取付部に摺動する部分がないので、削りカスなどの発生も防止できる。
【００３８】
さらに、眼幅調整により接眼スリーブ５を移動すると、スリーブカバー１２の弛み部１２１は、弛みが大きくなる部分で、中央部分から大きく折れ曲がり、また、弛みが小さくなる部分で直線状に変形するようにして対応できるので、スリーブカバー１２に比較的肉厚で強度のあるものを使用しても、その弾性で接眼スリーブ５が移動してしまうような不都合がなくなる。また、スリーブカバー１２に比較的肉厚で強度のあるものを使用できることで、クリーニングなどの際に破損する虞がなくなり、破損が原因で塵などが顕微鏡本体１内部に進入するのを確実に防止できる。
【００３９】
さらに、スリーブカバー１２は、鍔部１２３上を覆うように設けられた防塵カバー１３のスナップフット１３ｂをハウジング３の孔部３０６に挿入して鉤部１３ｂ２を孔部３０６周縁のスナップフット受け３０６ａに係止させることで、ハウジング３に取り付けられている。これにより、図４に示すようにハウジング３の側面部の孔部３０６から操作棒１４を挿通し、操作棒１４先端でスナップフット１３ｂの鉤部１３ｂ２を押して変形させてスナップフット受け３０６ａとの係止を外すのみで、防塵カバー１３を取り外し、さらにスリーブカバー１２をハウジング３から取外すことができるので、これら防塵カバー１３とスリーブカバー１２の取り外しをハウジング３の外部から簡単に行なうことができる。これにより、スリーブカバー１２を交換する場合も、作業が簡単で、時間的にも短い時間で行なうことができる。
【００４０】
なお、上述では、スリーブカバー１２は、固定部１２２の凸部１２２ａ、１２２ｂを接眼スリーブ５周面の凹部５０２ａ、５０２ｂに嵌合することで取り付けるようにしているが、接眼スリーブ５周面に直接または取付部材を介して接着した固定方式としてもよい。
【００４１】
また、ハウジング３は、開口部３０２周縁部に形成された肉薄部３０４に凹部３０５を形成し、また、スリーブカバー１２は、鍔部１２３に凹部３０５に対応する凸部１２３ａを形成したが、肉薄部３０４側に凸部、鍔部１２３側に凹部を形成して、これらの間を嵌合させるようにしてもよい。
【００４２】
上述では、接眼スリーブ５とハウジング３との間に設けられる防塵機構９について述べたが、接眼スリーブ６とハウジング３との間に設けられる防塵機構１０についても上述と同様である。
【００４３】
（変形例）
次に、第１の実施の形態の変形例を説明する。
【００４４】
図５は、第１の実施の形態の変形例の概略構成を示すもので、図２と同一部分には、同符号を付している。
【００４５】
この場合、リング状の防塵カバー２１は、下面の円周方向に沿ってスリーブカバー１２の鍔部１２３の凸部１２３ｂが嵌合される凹部２１ａが形成されるとともに、同じ下面側にハウジング３の孔部３０６に対応して固定手段として複数の係止部材２１ｂが設けられている。
【００４６】
この係止部材２１ｂは、防塵カバー２１下面に直立して設けられた本体２１ｂ１の先端に頭部２１ｂ２を形成している。頭部２１ｂ２は、図６に示すように、孔部３０６の径より僅かに大きな径を有するとともに、先端部周面と本体２１ｂ１との連結部周面にそれぞれテーパ部２１ｂ３、２１ｂ４が形成されている。
【００４７】
これにより、防塵カバー２１は、ハウジング３の孔部３０６に係止部材２１ｂの頭部２１ｂ２が貫通するまで強く押し込むことで、孔部３０６に係止され、ハウジング３に固定される。また、防塵カバー２１は、ハウジング３の孔部３０６から係止部材２１ｂの頭部２１ｂ２を引き抜くことにより、ハウジング３から取外される。
【００４８】
このようにしても、第１の実施の形態と同様な効果を期待でき、加えて、防塵カバー２１の着脱をさらに簡単にできる。
【００４９】
（第２の実施の形態）
次に、本発明の第２の実施の形態を説明する。
【００５０】
図７は、本発明の第２の実施の形態の概略構成を示すもので、図２と同一部分には、同符号を付している。
【００５１】
なお、図７は、図１に示すハウジング３、４のそれぞれの開口部３０２、４０２と接眼スリーブ５、６との間に設けられる防塵機構９、１０のうち、防塵機構９のみを示している。
【００５２】
この場合、スリーブカバー３１は、弾性部材、例えばゴムやシリコンなどで形成されたものである。また、スリーブカバー３１は、肉厚の筒状本体３１１を有している。この筒状本体３１１は、内周面に沿って２本の凸部３１１ａ、３１１ｂが平行に形成されている。これら凸部３１１ａ、３１１ｂは、接眼スリーブ５の肉薄部５０２の凹部５０２ａ、５０２ｂに嵌合されるものである。この場合、筒状本体３１１の周面は、凸部３１１ａ、３１１ｂを凹部５０２ａ、５０２ｂに嵌合した状態で、接眼スリーブ５の周面と面一になっている。
【００５３】
スリーブカバー３１の一方開口端部には、鍔部３１２が設けられている。この鍔部３１２は、ハウジング３の開口部３０２周縁の肉薄部３０４上に密着して載置され、接眼スリーブ５の移動とともに、肉薄部３０４上をスライドして移動できるようになっている。
【００５４】
この場合、スリーブカバー３１の鍔部３１２の外径とハウジング３の開口部３０２周縁部の肉薄部３０４の内径との関係は、接眼スリーブ５の移動にともないスリーブカバー３１の鍔部３１２が肉薄部３０４上を支障なく移動できるように設定されている。
【００５５】
スリーブカバー３１の鍔部３１２上面を覆うように中空円板状の防塵カバー３２が設けられている。防塵カバー３２の下面側には、ハウジング３の孔部３０６に対応して固定手段として複数のスナップフット３２ｂが設けられている。このスナップフット３２ｂは、防塵カバー３２下面に直立して設けられた本体３２ｂ１の先端に鉤部３２ｂ２を形成している。これにより、防塵カバー３２は、スナップフット３２ｂをハウジング３の孔部３０６に鉤部１３ｂ２が貫通するまで挿入し、鉤部３２ｂ２を孔部３０６周縁のスナップフット受け３０６ａに係止させることでハウジング３に固定される。
【００５６】
この場合、スリーブカバー３１の鍔部３１２の外径は、防塵カバー３２の中空部３２ａの内径より大きく設定されていて、接眼スリーブ５の移動とともにスリーブカバー３１の鍔部３１２が肉薄部３０４上を移動した時にも、鍔部３１２周縁が防塵カバー３２の中空部３２ａより外部に露出しないようになっている。
【００５７】
このような構成によると、例えば図８（ａ）に示すように接眼スリーブ５を眼幅を最大にする方向に操作すると、接眼スリーブ５は、ハウジング３の開口部３０２中を図示Ｃ方向に移動する。すると、接眼スリーブ５の移動にともなってスリーブカバー３１の鍔部３１２もハウジング３の開口部３０２周縁部の肉薄部３０４上を図示Ｃ方向にスライドして移動する。また、図８（ｂ）に示すように接眼スリーブ５を眼幅を最小にする方向に操作すると、接眼スリーブ５は、ハウジング３の開口部３０２中を図示Ｄ方向に移動する。すると、接眼スリーブ５の移動にともなってスリーブカバー３１の鍔部３１２もハウジング３の開口部３０２周縁部の肉薄部３０４上を図示Ｄ方向にスライドして移動する。この場合、スリーブカバー３１の鍔部３１２の外径が防塵カバー３２の中空部の直径より大きく設定されているので、接眼スリーブ５の最大眼幅、最小眼幅への移動によりスリーブカバー３１の鍔部３１２が肉薄部３０４上を移動しても、鍔部３１２周縁部が防塵カバー３２の中空部より外部に露出することがない。
【００５８】
従って、このようにすれば、スリーブカバー３１は、肉厚の筒状本体３１１の凸部３１１ａ、３１１ｂを接眼スリーブ５周面の凹部５０２ａ、５０２ｂに嵌合することで取り付けられ、一方開口端部の鍔部３１２をハウジング３の開口部３０２周縁の肉薄部３０４上にスライド移動可能に載置し、さらに鍔部３１２上を覆うように設けられた防塵カバー３２によりハウジング３に取り付けられるので、スリーブカバー３１の接眼スリーブ５およびハウジング３への取付を確実なものにでき、眼幅調整による接眼スリーブ５の移動によってスリーブカバー３１が外れるような虞が全くなくなり、同時に、ハウジング３の開口部３０２から塵などが顕微鏡本体１内部に進入するのも確実に防止できる。
【００５９】
さらに、上述した第１の実施の形態と同様な効果も期待できる。
【００６０】
なお、スリーブカバー３１の鍔部３１２の外径を大きくしたり、鍔部３１２の内径の形状を移動方向に楕円形状とすることで、より大きな開口部３０２にも対応させることができる。
【００６１】
また、上述でも、接眼スリーブ５とハウジング３との間に設けられる防塵機構９について述べたが、接眼スリーブ６とハウジング３との間に設けられる防塵機構１０についても上述と同様である。
【００６２】
（変形例）
次に、第２の実施の形態の変形例を説明する。
【００６３】
図９は、第２の実施の形態の変形例の概略構成を示すもので、図７と同一部分には、同符号を付している。
【００６４】
この場合、スリーブカバー３１の鍔部３１２とハウジング３の開口部３０２周縁の肉薄部３０４との間には、潤滑シート３３が介在されている。また、スリーブカバー３１の鍔部３１２と防塵カバー３２との間にも潤滑シート３４が介在されている。これら潤滑シート３３，３４は、中空円板状をしたもので、その外径を防塵カバー３２の中空部内径より大きく、中空部の内径を筒状本体３１１の外径より僅かに大きく設定されている。
【００６５】
このような潤滑シート３３，３４を用いることにより、接眼スリーブ５の移動にともなうスリーブカバー３１の鍔部３１２の移動をさらにスムーズなものにできる。また、スリーブカバー３１の鍔部３１２とハウジング３の開口部３０２周縁の肉薄部３０４との間およびスリーブカバー３１の鍔部３１２と防塵カバー３２との間に潤滑シート３３，３４が介在することで、これらの間の密閉性が向上し、塵などの進入をさらに精度よく防止することができる。
【００６６】
この場合も、潤滑シート３３，３４の外径を大きくしたり、中空部の内径の形状を移動方向に楕円形状とすることで、より大きな開口部３０２にも対応させることができる。
【００６７】
（第３の実施の形態）
次に、本発明の第３の実施の形態を説明する。
【００６８】
図１０は、第３の実施の形態が適用される眼幅調整機構を備えた双眼実体顕微鏡の外観図、図１１は、双眼実体顕微鏡に用いられる防塵機構の概略構成を示すもので、図１および図２と同一部分には、同符号を付している。
【００６９】
実体顕微鏡本体１に設けられる双眼鏡筒２は、不図示の眼幅調整機構を収容したもので、周囲を共通のハウジング４１により覆われている。
【００７０】
ハウジング４１は、正面部に傾斜面４１１が形成されている。この傾斜面４１１には、開口部４１２、４１３（図１１参照）が形成されている。そして、これら開口部４１２、４１３に、接眼スリーブ５，６が設けられている。
【００７１】
その他は、図１と同様である。
【００７２】
一方、図１１に示すように、ハウジング４１のそれぞれの開口部４１２、４１３には、接眼スリーブ５、６が設けられ、これら接眼スリーブ５、６と開口部４１２、４１３との間に防塵機構９、１０が設けられている。
【００７３】
この場合、防塵機構１０は、防塵機構９と同様に構成されており、図２で述べたと同一部分には、同符号を付している。
【００７４】
このような防塵機構９、１０には、共通の防塵カバー４２が設けられている。防塵カバー４２には、ハウジング４１の開口部４１２、４１３に対応する孔部４２１、４２２が形成されている。また、防塵カバー４２の下面には、孔部４２１、４２２の周縁部に沿って凹部４３１、４３２が形成されている。これら凹部４３１、４３２には、各スリーブカバー１２の鍔部１２３の凸部１２３ｂが嵌合されるようになっている。また、防塵カバー４２の下面には、スナップフット４４１、４４２が設けられている。これらスナップフット４４１、４４２は、ハウジング４１の孔部４１３に鉤部４４１ａ、４４２ａが貫通するまで挿入し、鉤部４４１ａ、４４２ａを孔部４１３周縁に係止させることで、防塵カバー４２をハウジング４１に固定させる。
【００７５】
このようにすれば、防塵カバー４２を防塵機構９、１０に対して共通にできるので、組立性が向上し、さらに部品点数が少なくなるので、コスト的にも有利にできる。
【００７６】
また、図１１と同一部分には同符号を付した図１２に示すように、ハウジング４５，４６が左右別々に構成された場合も、防塵カバー４２を左右のハウジング４５，４６に対して共通に設けることにより、上述したのと同様な効果が期待できる。さらに、防塵カバー４２によりハウジング４５，４６の合わせ面での防塵を期待できるので、さらに防塵性能を向上させることができる。
【００７７】
（変形例）
次に、第３の実施の形態の変形例を説明する。
【００７８】
図１３は、双眼実体顕微鏡に用いられる防塵機構の概略構成を示すもので、図１１と同一部分には、同符号を付している。
【００７９】
この場合、防塵カバー５１は、ハウジング４１の開口部４１２、４１３に対応する孔部５１１、５１２が形成されている。また、防塵カバー５１の下面には、孔部５１１、５１２の周縁部に沿って凹部５２１、５２２が形成されている。これら凹部５２１、５２２には、各スリーブカバー１２の鍔部１２３の凸部１２３ｂが嵌合されるようになっている。また、防塵カバー４２には、孔部５１１、５１２の周囲に沿ってさらに複数の孔部５３１、５３２が形成されている。これら孔部５３１、５３２に対応するハウジング４１には、ねじ孔４６が形成されており、孔部５３１、５３２を介してねじ孔４６に固定ビス５４をねじ込むことにより、防塵カバー５１をハウジング４１に固定させる。
【００８０】
この場合、固定ビス５４によるねじ込みは、スリーブカバー１２が破損しない程度で、鍔部１２３が防塵カバー５１とハウジング４１に良好に密着する程度にする。
【００８１】
このようにすれば、防塵カバー５１を確実に固定することができ、しかも固定ビス５４を外すだけで、防塵カバー５１の着脱ができるので、防塵カバー５１およびスリーブカバー１２の交換などを簡単にできる。また、防塵カバー５１およびハウジング４１は、スナップフットおよびスナップフット受けを用意する必要がなく、代わりにねじタップ加工を行なえばよいので、加工上でも有用である。
【００８２】
その他、本発明は、上記実施の形態に限定されるものでなく、実施段階では、その要旨を変更しない範囲で種々変形することが可能である。
【００８３】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００８４】
上述した実施の形態には、以下の発明も含まれる。
【００８５】
（１）保護カバーは、一対の接眼スリーブにそれぞれ設けられるスリーブカバーの鍔部上面を共通に覆うように設けられることを特徴としている。
【発明の効果】
以上述べたように本発明によれば、防塵効果にすぐれ、しかも交換が簡単な防塵機構を有する眼幅調整機構を備えた双眼実体顕微鏡を提供できる。
【図面の簡単な説明】
【図１】本発明の第１の実施の形態が適用される眼幅調整機構を備えた双眼実体顕微鏡の外観図。
【図２】第１の実施の形態に用いられる防塵機構の概略構成を示す図。
【図３】第１の実施の形態の動作を説明するための図。
【図４】第１の実施の形態に用いられるスナップフットを説明するための図。
【図５】第１の実施の形態の変形例の概略構成を示す図。
【図６】第１の実施の形態の変形例の要部の概略構成を示す図。
【図７】本発明の第２の実施の形態に用いられる防塵機構の概略構成を示す図。
【図８】第２の実施の形態の動作を説明するための図。
【図９】第２の実施の形態の変形例の概略構成を示す図。
【図１０】本発明の第３の実施の形態が適用される眼幅調整機構を備えた双眼実体顕微鏡の外観図。
【図１１】第３の実施の形態に用いられる防塵機構の概略構成を示す図。
【図１２】第３の実施の形態に用いられるハウジングの他例の概略構成を示す図。
【図１３】第３の実施の形態の変形例の概略構成を示す図。
【図１４】従来の双眼実体顕微鏡の防塵機構の概略構成を示す図。
【符号の説明】
１…実体顕微鏡本体、２…双眼鏡筒、３．４…ハウジング
３０１．４０１…傾斜面、３０２．４０２…開口部
３０３…段部、３０４…肉薄部、３０５…凹部
３０６、３０７…孔部、５．６…接眼スリーブ
５０１…段部、５０２…肉薄部、５０２ａ．５０２ｂ…凹部
７．８…接眼レンズ、９．１０…防塵機構、１２…スリーブカバー
１２１…弛み部、１２２…固定部、１２２ａ．１２２ｂ…凸部
１２３…鍔部、１２３ａ．１２３ｂ…凸部、１３…防塵カバー
１３ａ…凹部、１３ｂ…スナップフット、１３ｂ１…本体
１３ｂ２…鉤部、１４…操作棒、２１…防塵カバー
２１ａ…凹部、２１ｂ…係止部材、２１ｂ１…本体、２１ｂ２…頭部
２１ｂ３．２１ｂ４…テーパ部、３１…スリーブカバー
３１１…筒状本体、３１１ａ．３１１ｂ…凸部、３１２…鍔部
３２…カバー、３２ａ…中空部、３２ｂ…スナップフット
３２ｂ１…本体、３２ｂ２…鉤部、３３．３４…潤滑シート
４１…ハウジング、４１１…傾斜面、４１２．４１３…開口部
４１３…孔部、４２…防塵カバー、４２１．４２２…孔部
４３１．４３２…凹部、４４１．４４２…スナップフット
４４１ａ．４４２ａ…鉤部、４５．４６…ハウジング
４６…孔、５１…防塵カバー、５１１．５１２…孔部
５２１．５２２…凹部、５３１．５３２…孔部、５４…固定ビス
【図１】
2004326023.tif 000003
【図２】
2004326023.tif 000004
【図３】
2004326023.tif 000005
【図４】
2004326023.tif 000006
【図５】
2004326023.tif 000007
【図６】
2004326023.tif 000008
【図７】
2004326023.tif 000009
【図８】
2004326023.tif 000010
【図９】
2004326023.tif 000011
【図１０】
2004326023.tif 000012
【図１１】
2004326023.tif 000013
【図１２】
2004326023.tif 000014
【図１３】
2004326023.tif 000015
【図１４】
2004326023.tif 000016